(57)【要約】  【課題】平面部やコーナー部など、場所を選ばずに使用でき、簡単な着脱操作により配線の隠蔽や配線変更に対応できる手軽な配線カバーを提供する。  【解決手段】一端１ａ側から他端１ｂ側に亘って配線Ｘを挿通するための中空部１５を備えるカバー本体１と、このカバー本体１の一部に設けられて第１の取付対象である平面部上の磁性面Ｂに吸着する第１吸着面２１ａと、カバー本体１の他の一部に設けられて第２の取付対象であるコーナー部両側の交叉磁性面Ｃに同時に吸着する第２吸着面２２ａとを備え、第１吸着面２２ａ及び前記第２吸着面２２ｂは、互いに相手方の取付対象への吸着を妨げない位置に設定されている点に特徴を有する。  【選択図】図４
2010119213.tif 000002
【特許請求の範囲】
【請求項１】
一端側から他端側に亘って配線類を挿通するための中空部を備えるカバー本体と、このカバー本体の一部に設けられて第１の取付対象である平面部上の磁性面に吸着する第１吸着面と、前記カバー本体の他の一部に設けられて第２の取付対象であるコーナー部両側の交叉磁性面に同時に吸着する第２吸着面とを具備してなり、前記第１吸着面及び前記第２吸着面は、互いに相手方の取付対象への吸着を妨げない位置に設定されていることを特徴とする配線カバー。
【請求項２】
中空部はカバー本体の背面側に連続開口を有し、その連続開口の両側に第１吸着面および第２吸着面を設けている請求項１記載の配線カバー。
【請求項３】
コーナー部が出隅部であり、カバー本体は左右の第１吸着面の内縁から内側に向かって中空部側へ入り込む位置に斜めに第２吸着面を設けている請求項２記載の配線カバー。
【請求項４】
コーナー部が入り隅部であり、カバー本体は左右の第１吸着面の外側に向かって吸着方向と逆側へ離れる位置に斜めに第２吸着面を設けている請求項２記載の配線カバー。
【請求項５】
吸着面は、カバー本体にマグネットを取り付けることによって構成されている請求項１〜４何れかに記載の配線カバー。
【発明の詳細な説明】
【技術分野】
【０００１】
本発明は、様々な場所で簡易に利用できるようにした配線カバーに関するものである。
【背景技術】
【０００２】
近年のＯＡ化の進展に伴って、オフィス内に配線をめぐらす必要性が増大し、デスク回りや間仕切りパネルに沿って配線を引き回すことが多くなっている。
【０００３】
このような場合に、デスク自体やパネル自体に配線ダクト等を作り込むことが一般に行われているが、それでもデスクの前方や側方に配線が垂れ下がったり、パネルの周囲に配線が引き回されることがある。特にフリーアドレス制を採用するフロア等では、逐一配線ダクト等を使用することは煩わしいことから、デスクやパネルの周囲に配線が露出した状態のままでオフィスワーク等が行われることが少なくない。
【０００４】
このような実情に鑑みると、一時的に配線を隠蔽するような簡易な配線カバーがあると便利である。特許文献１には、間仕切りパネル底部または頂部から直立した状態に前記ダクト部材を着脱自在に取り付けるように構成し、前記ダクト部材の外側面の上下方向の適当な位置にコンセント差し込み口を設け、上下両端面の少なくとも一方に、配線が貫通できる開口部を設け、かつ裏面に、前記配線ダクト部材を着脱自在に取り付けるための手段を設けた配線ダクト装置が開示されている。
【特許文献１】特開平１１−１９６５２４号公報
【発明の開示】
【発明が解決しようとする課題】
【０００５】
ところが、かかる特許文献のものは、間仕切りパネルへの取付位置を変更することを目的としているに過ぎず、対象が限定的であるため、デスク回り、パネル周辺に自在に使用できるものではない。更に言えば、配線は例えばデスクの天板上に手前から立ち上がる場合や、コーナー付近、側縁などから立ち上がる場合などがあり、パネルにおいても、特許文献のように平面部から立ち上がる場合以外に、パネル同士の交差部付近から立ち上がるケースもある。
【０００６】
また、特許文献のように上下両端面の開口部に配線を貫通させる構造であると、配線ダクト装置を使用する際には、既に引き回されている配線を一旦外した上で配線を長手方向に沿って開口部に通過させ、配線の変更等を行う際にも、再び配線ダクト装置を取り外して配線を長手方向に沿って開口部から抜き取らなければならず、煩わしい点で変わりはない。
【０００７】
したがって、比較的場所を選ばずに使用でき、簡単な着脱操作により配線の隠蔽や配線変更に対応できる手軽な配線カバーが望まれるところである。
【０００８】
本発明は、このような着眼に基づいて、全く新たな機能を備えた配線カバーを実現することを目的としている。
【課題を解決するための手段】
【０００９】
本発明は、かかる目的を達成するために、次のような手段を講じたものである。
【００１０】
すなわち、本発明の配線カバーは、一端側から他端側に亘って配線類を挿通するための中空部を備えるカバー本体と、このカバー本体の一部に設けられて第１の取付対象である平面部上の磁性面に吸着する第１吸着面と、前記カバー本体の他の一部に設けられて第２の取付対象であるコーナー部両側の交叉磁性面に同時に吸着する第２吸着面とを具備してなり、前記第１吸着面及び前記第２吸着面は、互いに相手方の取付対象への吸着を妨げない位置に設定されていることを特徴とする。
【００１１】
このように構成すれば、取付対象が磁性面であれば着脱自在であって平面部でもコーナー部でも取付場所が限定されない上に、１つの配線カバーで、平面上に露出する配線もコーナー部に露出する配線も隠蔽することができるので、状況に応じて手軽に使い分けることができる。
【００１２】
逐一配線を配線カバーに挿し通すことを不要にするためには、中空部がカバー本体の背面側に連続開口を有し、その連続開口の両側に第１吸着面および第２吸着面を設けていることが望ましい。
【００１３】
コーナー部が出隅部である場合の具体的態様としては、カバー本体は左右の第１吸着面の内縁から内側に向かって中空部側へ入り込む位置に斜めに第２吸着面を設けているものが挙げられる。
【００１４】
逆に、コーナー部が入り隅部である場合の具体的態様としては、カバー本体は左右の第１吸着面の外側に向かって吸着方向と逆側へ離れる位置に斜めに第２吸着面を設けているものが挙げられる。
【００１５】
簡素な構造としては、吸着面が、カバー本体にマグネットを取り付けることによって構成されていることが望ましい。
【発明の効果】
【００１６】
本発明は、以上説明した構成であるから、適用対象が磁性面であれば平面部でもコーナー部でも場所を選ばずに使用でき、簡単な着脱操作を通じて配線の隠蔽や配線変更に手軽に対応できる利便性に富んだ簡易形の配線カバーとして提供することが可能となる。
【発明を実施するための最良の形態】
【００１７】
以下、本発明の一実施形態を、図面を参照して説明する。
【００１８】
図１〜図３に示す本実施形態の配線カバーＡは、アクリル等の樹脂を押し出し成形することによって構成されるカバー本体１に、マグネット２１，２２を取り付けたものである。
【００１９】
カバー本体１は、前壁１１、一対の側壁１２および一対の背壁１３を備え、背壁１３の内縁間を連続開口１４とする部分角パイプ状のものであり、これら前壁１１、側壁１２および背壁１３によって部分的に包囲される位置に配線Ｘを挿し通すための中空部１５が形成されている。カバー本体１は押し出し成形体であるため、この中空部１５は長手方向の一端１ａ側にも他端１ｂ側にも開口している。
【００２０】
背壁１３は、側壁１２に連続する側に第１の溝１３ａを有し、連続開口１４に近い位置に第２の溝１３ｂを有したもので、第１の溝１３ａは前壁１１に平行であり、第２の溝１３ｂは前壁１１に対し中空部１５側に４５°傾斜している。そして、第１の溝１３ａにマグネット２１を装着してその背面を第１吸着面２１ａとし，第２の溝１３ｂにマグネット２２を装着してその背面を第２吸着面２２ａとしている。すなわち、一対の第１吸着面２１ａは同一面上にあり、一対の第２吸着面２２ａは第１吸着面２１ａの内縁から中空部１５側に入り込んだ位置に斜めに形成されていて、第２吸着面２２ａ、２２ａ同士は９０度に交叉する線上にある。マグネット２１，２２の厚みと溝１３ａ、１３ｂの深さの関係は、設計する吸着力等によってマグネットの磁力との兼ね合いの下に設定される。
【００２１】
側壁１２の前端付近には中空部１５に向かって滑らかに凹陥する凹み１２ａが設けてあり、指掛け部等としての利用が可能とされている。前壁１１及び側壁１２の内面には長手方向に沿って多数の細かい溝１１ｂ、１２ｂ（図３参照）が形成され、スモーク板的な機能を付与している。
【００２２】
このように構成される本実施形態の配線カバーＡは、第１の取付対象である図１の平面部上の磁性面Ｂに対しては第１吸着面２１ａが、第２の取付対象である図４のコーナー部両側の交叉磁性面Ｃに対しては第２吸着面２２ａが各々吸着することにより、第１吸着面２１ａ及び第２吸着面２２ａは、互いに相手方の取付対象への吸着を妨げない状態で配線カバーＡを取り付けることが可能となっている。
【００２３】
すなわち、図１に示すように平面部上の磁性面Ｂに第１吸着面２１ａを吸着させるときには、第２吸着面２２ａは磁性面Ｂよりも中空部１５側へ離れた位置にあって磁性面Ｂと干渉することが回避され、図４に示すように出隅部両側の交叉磁性面Ｃに第２吸着面２２ａを吸着させるときには、交叉磁性面Ｃの位置は第２吸着面２２ａの外側にいくほど当該配線カバーＡから離れるので、第２吸着面２２ａに対して第１吸着面２１ａが迫り出した位置にあっても、第１吸着面２１ａの交叉磁性面Ｃとの干渉が有効に回避されることとなる。
【００２４】
以上のように、本実施形態は、１つの配線カバーＡで、図１のように平面上に露出する配線Ｘも図４のようにコーナー付近に露出する配線Ｘも隠蔽することができるので、状況に応じて手軽に使い分けることができ、取付対象が磁性面であれば、デスクの天板上に手前から立ち上がる配線や、コーナー付近、側縁などに対して場所を制約されずに床から立ち上がる配線に対する処理を簡単、適切に行うことができる。パネル等に対しても同様に、平面部から立ち上がる場合や、パネル同士の直交部付近から立ち上がる配線等に対しても本実施形態の配線カバーＡを有効に適用することが可能となる。
【００２５】
特に、中空部１５がカバー本体１１の背面側に連続開口１４を有し、その連続開口１４の両側に第１吸着面２１ａおよび第２吸着面２２ａを設けているので、その連続開口１４を介して中空部１５に配線Ｘを出し入れしつつ、取付対象に対する配線カバーＡの着脱を行うことができるので、逐一配線Ｘを長手方向に挿し通したり抜き取ったりせずに済み、配線Ｘの隠蔽や、配線替えなどを迅速に行うことができる使い勝手に極めて優れたものとなる。
【００２６】
具体的には、第２吸着面２２ａをコーナー部、特に出隅部に適用できるため、デスクの側板や背板の外面側のコーナー部や、ワゴンの化粧板と側板のコーナー部、収納家具の外壁のコーナー部、パネルの交叉部の外側のコーナー部などに簡単、適切に取り付けを行うことが可能となる。
【００２７】
さらにまた、吸着面２１ａ、２２ａは、カバー本体１にマグネット２１、２２を取り付けることによって構成されているため、構造簡素であり、本実施形態ではカバー本体１とマグネットの２種類のみの極めてシンプルな構成で高い利便性を有する配線カバーＡを実現しているものである。
【００２８】
なお、各部の具体的な構成は、上述した実施形態のみに限定されるものではない。
【００２９】
例えば、図５〜図７に示す配線カバーＤは、一端側から他端側に亘って配線類Ｘを挿通するための中空部１１５を備えるカバー本体１０１と、このカバー本体１０１の一部に設けられて第１の取付対象である図６の平面部上の磁性面Ｂに吸着する第１吸着面１２１ａと、前記カバー本体１０１の他の一部に設けられて第２の取付対象である図７のコーナー部両側の交叉磁性面Ｃに同時に吸着する第２吸着面１２２ａとを具備し、前記第１吸着面１２１ａ及び前記第２吸着面１２２ａは、互いに相手方の取付対象への吸着を妨げない位置に設定されているものである。また、中空部１１５がカバー本体１０１の背面側に連続開口１１４を有し、その連続開口１１４の両側に第１吸着面１２１ａおよび第２吸着面１２２ａを設けている。
【００３０】
上記実施形態と異なるのは、この配線カバーＤが、コーナー部である入り隅部に適用可能とするために、カバー本体１０１が左右の第１吸着面１２１ａの外縁から外側に向かって吸着方向と逆側へ離れる位置に斜めに第２吸着面１２２ａを設けている点にある。第２吸着面１２２ａ、１２２ａ同士もやはり９０°に交叉する線上にある。
【００３１】
すなわち、図６に示すように平面部上の磁性面Ｂに第１吸着面１２１ａを吸着させるときには、第２吸着面１２２ａは磁性面Ｂよりも外側へ離れる位置にあって磁性面Ｂと干渉することが回避され、図７に示す入隅部両側の交叉磁性面Ｃに第２吸着面１２２ａを吸着させるときには、交叉磁性面Ｃの位置は第２吸着面１２２ａの内側にいくほど当該配線カバーＤから離れるので、第２吸着面１２２ａより第１吸着面１２１ａが迫り出していても、交叉磁性面Ｃと干渉することが有効に回避されることとなる。
【００３２】
このように、第２吸着面１２２ａをコーナー部、特に入隅部に適用できるため、この配線カバーＤを用いれば、デスクの側板や背板の内面側のコーナー部、収納家具の内壁のコーナー部、パネルの交叉部の内側のコーナー部などに立ち上がる配線の処理に有効に適用することが可能となる。
【００３３】
その他、上記の配線カバーの長手方向を水平姿勢にして横使いに使用するなど、本発明の趣旨を逸脱しない範囲で種々変形が可能である。
【図面の簡単な説明】
【００３４】
【図１】本発明の一実施形態に係る配線カバーを平面部上の磁性面に適用した状態を示す斜視図。
【図２】同配線カバーの部分背面斜視図。
【図３】同配線カバーの平面図。
【図４】同配線カバーをコーナー部両側の交差磁性面に適用した状態を示す斜視図。
【図５】本発明の他の実施形態に係る配線カバーの平面図。
【図６】同配線カバーを平面部上の磁性面に適用した状態を示す斜視図。
【図７】同配線カバーをコーナー部両側の交差磁性面に適用した状態を示す斜視図。
【符号の説明】
【００３５】
１、１０１…カバー本体
１ａ…一端
１ｂ…他端
１４、１１４…連続開口
１５，１１５…中空部
２１、２２…マグネット
２１ａ、１２１ａ…第１吸着面
２２ａ、１２２ａ…第２吸着面
Ｂ…平面部上の磁性面
Ｃ…交差磁性面
Ｘ…配線
【図１】
2010119213.tif 000003
【図２】
2010119213.tif 000004
【図３】
2010119213.tif 000005
【図４】
2010119213.tif 000006
【図５】
2010119213.tif 000007
【図６】
2010119213.tif 000008
【図７】
2010119213.tif 000009